(57)【要約】      （修正有）【課題】椅子の背面に取り付ける広告具であって、広告表示内容を容易に交換可能な広告具を提供する。【解決手段】広告具は、椅子Ｃの背凭れＣ２に取り付ける背凭れカバー１１０と、背凭れ上縁から座板Ｃ１上面までの長さＬ（１）以上、椅子の全高Ｌ（４）以下の長さＬ（３）を備え、文字、図形、記号もしくはこれらの結合またはこれらと色彩との結合から構成される広告表示が表面１５２に施された垂下シート１５０とを含み、背凭れカバーの座面側の反対側である後側面１１２および垂下シートの裏面１５４の上方には、垂下シートを背凭れカバーに着脱自在に取り付けるための面ファスナー１２２、１６２をそれぞれ備える。【選択図】図３
0003218931.tif 000002
【実用新案登録請求の範囲】
【請求項１】
座板と背凭れと脚とを備えた椅子に適用される広告具であって、
前記背凭れに取り付ける背凭れ部と、
前記背凭れ上縁から前記座板上面までの長さ以上前記椅子の全高以下の長さを備え、文字、図形、記号もしくはこれらの結合またはこれらと色彩との結合から構成される広告表示が表面に施された垂下シートとを含み、
前記背凭れ部の前記座面側の反対側および前記垂下シートの裏面の上方には、前記垂下シートを前記背凭れ部に着脱自在に取り付けるための治具をそれぞれ備える、広告表示が交換可能な椅子用の広告具。
【請求項２】
前記背凭れ部は、前記背凭れに上方から被せる背凭れカバーであって、
前記治具は、前記背凭れカバーの前記座面側とは反対面の背凭れ位置および前記背凭れ位置に対応する前記垂下シートの裏面の上方にそれぞれ備える、請求項１に記載の広告表示内容が交換可能な椅子用の広告具。
【考案の詳細な説明】
【技術分野】
【０００１】
本考案は、床面等に自立させるための支持体および壁面等に固定するための金具等の特別な付属品が不要な広告具であって、特に、椅子の背面に取り付ける広告具であって、広告表示内容を容易に交換可能な広告具に関する。
【背景技術】
【０００２】
多数の人が集まる各種の講習会や説明会等の会場には、その主催者の商品、サービス、会社、さらには、イベント等を宣伝広告するための広告具が設置されている場合がある。
そして、かかる広告具としては、通路等の人目につき易い場所に設置するスタンド式のものや、天井吊り下げ式のもの、さらには、壁掛け式のもの等が知られており、これら従来の広告具は、通路等の人目につき易い場所に設置されることにより、宣伝広告効果を発揮する。
【０００３】
このようなスタンド式の広告具では、床面に自立させるための脚体または支持体等が必要なことから構造が複雑化しコスト高を招く。一方、天井吊り下げ式または壁掛け式の広告具では、天井や壁面に固定する金具等が必要となり、その分、構造の複雑化やコスト高を招く。
このような問題点に鑑み、本出願人は、広告具を自立させるための支持体および壁面等に固定するための金具等の特別な付属品を不要にしてコストの低減を図ることのできる広告具を考案して出願している。この広告具は、実用新案登録第３１３９３２９号公報（特許文献１）に開示されており、座板と背凭れとの上下間に間隔が存する脚付きの椅子に適用可能な広告具であって、前記背凭れに対して上方から被せる背凭れカバー部と、前記背凭れカバー部の後面の下端から延長された垂下シート部を具備し、前記垂下シート部は、前記椅子の背凭れと座板との上下の前記間隔を覆い得る長さに設定されており、前記垂下シート部と前記背凭れカバー部の少なくとも一方の後面に文字や図形等の広告表示が施されているものである。
【先行技術文献】
【特許文献】
【０００４】
【特許文献１】実用新案登録第３１３９３２９号公報
【考案の概要】
【考案が解決しようとする課題】
【０００５】
特許文献１に開示された広告具は、その実施の形態に記載されているように、多数の人が集まる各種の講習会や説明会等の会場にて縦横に並べられる参加者用の多数の折り畳み式の会議用パイプ椅子の背面部に取り付けることにより、その後ろの列の着座者の最も注意を喚起できる目前で広告機能を発揮できて大きな宣伝広告効果を得ることができる点、広告具を自立させるための支持体や壁面等に固定するための金具等の特別な付属品を不要にしてコストの低減を図ることができる点、で好ましい。
【０００６】
このような実施の形態からもわかるように、会議用パイプ椅子を並べて会場を設営する場合、講習会や説明会等が終了する度に会議用パイプ椅子を撤収して、別の講習会や説明会等の準備として会議用パイプ椅子が並べられる。講習会や説明会等に集まる人が異なると、当然ながら宣伝広告対象者が異なり宣伝広告の対象となる商品またはサービス等も異なるために、大きな宣伝広告効果を得るためには、新たな別の広告具に変更しなければならない。また、講習会や説明会等に集まる人が同じであっても、たとえば季節によって宣伝広告の対象となる商品またはサービス等が異なる場合もあるので、このような場合にも
大きな宣伝広告効果を得るためには、新たな別の広告具に変更しなければならない。
【０００７】
しかしながら、特許文献１に開示された広告具によると、文字や図形等の広告表示が施されているのは垂下シート部および／または背凭れカバー部の後面であるために、広告内容を変更するためには、別の広告表示が施されている新たな別の広告具に交換しなければならない。
このため、新たな別の広告表示が施されている広告具を手配および購入しなければならないために、汎用性が低く、かつ、コストが上昇する。さらに、特許文献１に開示された広告具は、上端部には下方に開放する背凭れカバー部を具備しており、設置する場合にはこの背凭れカバー部を椅子の背凭れに上方から被せる。この場合において、この広告具は伸縮性を有するシートで形成されているとはいえ、多数の会議用パイプ椅子の背凭れに背凭れカバー部を引っ張り伸ばして被せなければならない。会議用パイプ椅子の個数が多くなるとこの作業が大きな手間となり、会議用パイプ椅子が並べて広告具を設置する会場設営時間が長くなったり、会場設営時間が長引かせないためには多くの人手がかかるようになる。
【０００８】
本考案は、従来技術の上述の問題点に鑑みて開発されたものであり、その目的とするところは、汎用性が高く低コストで設置する手間の少ない、広告表示内容が容易に交換可能な椅子用の広告具を提供することである。
【課題を解決するための手段】
【０００９】
上記目的を達成するため、本考案に係る広告表示内容が交換可能な椅子用の広告具は以下の技術的手段を講じている。
すなわち、本考案に係る広告表示内容が交換可能な椅子用の広告具は、座板と背凭れと脚とを備えた椅子に適用される広告具であって、前記背凭れに取り付ける背凭れ部と、前記背凭れ上縁から前記座板上面までの長さ以上前記椅子の全高以下の長さを備え、文字、図形、記号もしくはこれらの結合またはこれらと色彩との結合から構成される広告表示が表面に施された垂下シートとを含み、前記背凭れ部の前記座面側の反対側および前記垂下シートの裏面の上方には、前記垂下シートを前記背凭れ部に着脱自在に取り付けるための治具をそれぞれ備えることを特徴とする。
【００１０】
好ましくは、前記背凭れ部は、前記背凭れに上方から被せる背凭れカバーであって、前記治具は、前記背凭れカバーの前記座面側とは反対面の背凭れ位置および前記背凭れ位置に対応する前記垂下シートの裏面の上方にそれぞれ備えるように構成することができる。
【考案の効果】
【００１１】
本考案に係る広告表示内容が交換可能な椅子用の広告具によれば、汎用性が高く低コストで設置する手間の少ない、広告表示内容が容易に交換可能な椅子用の広告具を提供することができる。
【図面の簡単な説明】
【００１２】
【図１】本考案の実施の形態に係る広告表示内容が交換可能な椅子用の広告具の斜視図（垂下シート（Ａ）および背凭れカバー（Ｂ））である。
【図２】図１の広告具の全体正面図（垂下シート（Ａ）および背凭れカバー（Ｂ））である。
【図３】図１の広告具を折り畳み式の会議用パイプ椅子に装着した場合の縦断面図である。
【図４】図１の広告具を折り畳み式の会議用パイプ椅子に装着した場合の斜視図である。
【図５】図１の広告具を折り畳み式の会議用パイプ椅子に装着する場合の手順を示す図である。
【図６】図１の広告具を複数の折り畳み式の会議用パイプ椅子に装着した場合の使用態様を示す斜視図である。
【図７】本考案の実施の形態の変形例に係る広告表示内容が交換可能な椅子用の広告具を折り畳み式の会議用パイプ椅子に装着する場合の手順を示す図である。
【考案を実施するための形態】
【００１３】
以下、本考案の実施の形態である広告表示内容が交換可能な椅子用の広告具（以下において単に広告具と記載する場合がある）１００を、以下に示す図面に基づき詳しく説明する。
図１および図２は、広告具１００単体の図であって、図１は広告具１００の斜視図であって垂下シート（Ａ）および背凭れカバー（Ｂ）をそれぞれ示し、図２は広告具１００の全体正面図であって垂下シート（Ａ）および背凭れカバー（Ｂ）をそれぞれ示す。図３〜図５は、広告具１００を折り畳み式の会議用パイプ椅子（以下において単にパイプ椅子または椅子と記載する場合がある）Ｃに装着した場合の縦断面図（図３）、斜視図（図４）および装着手順を示す図（図５）である。さらに、図６は広告具１００を複数のパイプ椅子Ｃに装着した場合の使用態様を示す斜視図である。
【００１４】
本実施の形態に係る広告具１００は、図３〜図５に示すように、折り畳み式の会議用パイプ椅子Ｃに好適に適用される。このパイプ椅子Ｃは、座板Ｃ１と背凭れＣ２と前脚Ｃ３および後脚Ｃ４とを備えた椅子であるが、本考案に係る広告具の適用がこのようなパイプ椅子Ｃに限定されるものではなく、座板と背凭れと脚とを備えた椅子でありさえすればよい。特に、背凭れＣ２と座板Ｃ１の上下に間隔が存在しない構造の椅子、すなわち、背凭れＣ２の下端が座板Ｃ１まで延長されている構造の椅子であっても本考案に係る広告具は適用可能である。
【００１５】
このパイプ椅子Ｃは、より詳しくは、上端に背凭れＣ２が取り付けられた椅子フレーム(前脚Ｃ３および後脚Ｃ４で構成)の上下方向の中程に座板Ｃ１が取り付けられている。椅子フレームは、パイプを曲げ加工した長方形枠状の前脚Ｃ３と、Ｕ字状に曲成されたパイプから成る後脚Ｃ４とから構成されており、後脚Ｃ４の上部両端はピンＣ５によって、前脚Ｃ３の左右両辺における上下方向の中程に回動自在に軸支されている。
【００１６】
広告具１００単体を示す図１および図２を参照して、この広告具１００は、背凭れＣ２に取り付ける背凭れ部（より詳しくは背凭れカバー１１０）と、背凭れＣ２上縁から座板Ｃ１上面までの長さ以上椅子Ｃの全高以下の長さを備え、文字、図形、記号もしくはこれらの結合またはこれらと色彩との結合から構成される広告表示が表面１５２に施された垂下シート１５０とを含んで構成されている。そして、特徴的であるのは、背凭れ部（背凭れカバー１１０）の座面側の反対側（図４に示す後側であって図３に示す後側面１１２）および垂下シート１５０の裏面１５４の上方には、垂下シート１５０を背凭れ部（背凭れカバー１１０）に着脱自在に取り付けるための治具（ここではオス型（またはメス型）の面ファスナー１２２およびメス型（またはオス型）の面ファスナー１６２）をそれぞれ備える点である。面ファスナー１２２がオス型である場合には面ファスナー１６２はメス型であって、面ファスナー１２２がメス型である場合には面ファスナー１６２はオス型となる。
【００１７】
さらに、図１および図２に示すように、この背凭れ部は、背凭れＣ２に上方から被せる背凭れカバー１１０であってもよい。さらに、これらの治具は、背凭れカバー１１０の座面側とは反対面（後側面１１２）の背凭れＣ２の位置および背凭れＣ２の位置に対応する垂下シート１５０の裏面１５４の上方にそれぞれ備える。なお、これらの治具は、面ファスナーに限定されるものではなく、垂下シート１５０を背凭れカバー１１０に着脱自在に
取り付けることができるものであればよく、ボタンとボタン穴との組合せ、オス型メス型一対ずつのスナップボタン、ファスナー、Ｓ極Ｎ極一対の磁石等であっても構わない。なお、椅子Ｃの背凭れＣ２に背凭れカバー１１０を引っ張り伸ばして被せるために、広告具１００を構成する背凭れカバー１１０および垂下シート１５０のうちの少なくとも背凭れカバー１１０は伸縮性を有するシートで形成されている。以下においては、背凭れカバー１１０および垂下シート１５０は、同じ素材で構成されているものとする。このような特徴を備えた広告具１００についてさらに詳しく説明する。
【００１８】
この広告具１００を構成する背凭れカバー１１０は、伸縮性を有するシートで形成されており、製品状態では図１（Ｂ）に示す形状を、展開状態では図２（Ｂ）に示す形状を有している。また、この広告具１００を構成する垂下シート１５０は、製品状態では図１（Ａ）に示す形状を、展開状態では図２（Ａ）に示すシート状の形状を有している。
図１〜図４に示すように、背凭れカバー１１０は、略長方形の形状を備えたシート（後側の面を後側面１１２および前側の面を前側面１１４とする）の上側短辺部に折り返し部１１６を延設して、図１（Ｂ）に示すように、この前側面１１４と折り返し部１１６との境界線が谷線になるように折り返して重なった左右周縁部を縫合したり接着したりすることにより、袋部１１８を形成している。なお、図２（Ｂ）に示すように、折り返して重なった左右周縁部は丸みを帯びさせているが、これはこの広告具が好適に適用されるパイプ椅子Ｃの背凭れＣ２の形状に合致させたものであって本考案はこのように丸みを帯びた形状に限定されるものではない。そして、座面Ｃ１側とは反対面である後側面１１２の上方の背凭れ位置には、面ファスナー１２２が貼付されている。
【００１９】
また、図１〜図４に示すように、垂下シート１５０は、略長方形の形状を備えたシート（後側の面を表面１５２および前側の面を裏面１５４とする）であって、表面１５２に広告表示領域２００を備え、裏面１５４に面ファスナー１６２が貼付されている。この面ファスナー１６２の形状および貼付位置は、面ファスナー１２２に対応する形状および貼付位置であって、たとえば、同じ形状であって、面ファスナー１２２と面ファスナー１６２とで垂下シート１５０を背凭れカバー１１０に取り付けた場合に背凭れカバー１１０の上縁（ここでは椅子Ｃの上縁と等しくなる）と垂下シート１５０の上縁とが一致する貼付位置である。広告表示領域２００には、図示しないが、文字、図形、記号もしくはこれらの結合またはこれらと色彩との結合から構成される広告表示が施されている。
【００２０】
この垂下シート１５０の大きさ（上下方向長さＬ（３））は、図３に示すように、椅子Ｃの背凭れＣ２上縁から座板Ｃ１上面までの長さＬ（１）以上であって、かつ、椅子Ｃの全高Ｌ（４）以下の長さを備える。このような長い長さの上下方向長さＬ（３）を垂下シート１５０が備えるために、大きな広告表示領域２００を確保できるとともに、垂下シート１５０が椅子Ｃの後脚Ｃ４の下端部近傍まで延長されており着座者の手荷物を椅子Ｃの座板Ｃ１の下方に置いても後方の着座者には見えないから見苦しさを解消できるとともに手荷物の盗難防止にも有効である。
【００２１】
一方、背凭れカバー１１０の大きさ（上下方向長さＬ（２））は、少なくとも椅子Ｃの背凭れＣ２を覆うことができる長さがあればよい。本実施の形態においては、背凭れカバー１１０の長さＬ（２）は、椅子Ｃの背凭れＣ２を覆い、さらに後側面１１２で座面Ｃ１が隠れる程度まで延長させている。なお、このように背凭れカバー１１０を延長することにより、背凭れＣ２と座板Ｃ１との間の上下の間隔が垂下シート１５０により隠蔽されるので前方の着座者の身体が後方の着座者に見えなくなり会場全体の美的対策が図れるとともに、背凭れカバー１１０の後側面１１２にも生成された大きな広告表示領域に交換不要な広告表示を施すことにより垂下シート１５０を背凭れカバー１１０に取り付ける前の状態においても宣伝広告効果を得ることができる。
【００２２】
このような構造を備えた広告具１００は、図５に示す手順で椅子Ｃに取り付けられる。まず、図５（Ａ）に示すように前脚Ｃ３と後脚Ｃ４とが開かれて自立させた椅子Ｃの背凭れＣ２に、背凭れカバー１１０の袋部１１８が背凭れＣ２を覆うように被せる。このとき、椅子Ｃの背凭れＣ２の上方から背凭れカバー１１０を引っ張り伸ばして被せる（図５（Ｂ）参照）。なお、この図５（Ｂ）に示す状態（椅子Ｃの背凭れＣ２に背凭れカバー１１０を被せた状態）で、前脚Ｃ３と後脚Ｃ４とを閉じて椅子Ｃを収納するようにしても構わない。
【００２３】
そして、図５（Ｂ）に示すように、その椅子Ｃが並べられる講習会や説明会等に集まる人やその季節に対応させた宣伝広告がその表面１５２に施された垂下シート１５０を、面ファスナー１６２が面ファスナー１２２と対向するように準備する。次いで、図５（Ｃ）に示すように、面ファスナー１６２を面ファスナー１２２へ接合させて、垂下シート１５０を背凭れカバー１１０に取り付ける。この場合において、垂下シート１５０を背凭れカバー１１０に着脱自在に取り付けるための治具として面ファスナーを採用しているので、垂下シート１５０を背凭れカバー１１０に取り付ける際にも、垂下シート１５０を背凭れカバー１１０から取り外す際にも、容易に作業することができる。
【００２４】
そうすると、図４および図５（Ｃ）に示すように、この広告具１００は、椅子Ｃの背面全体を覆った状態になる。そして、この状態では、垂下シート１５０の表面１５２（後側の面）にはその椅子Ｃが並べられる講習会や説明会等に集まる人やその季節に対応させた広告表示が施されているから、この表面１５２は、その後ろの列の椅子Ｃに着座した参加者の目前、すなわち、最も注意を喚起し易い場所に位置することになる。
【００２５】
より具体的には、図６に示すように、この広告具１００は、各種の講習会や説明会等の会場に縦横に並べられる参加者用の椅子Ｃの背面部に装着して使用されるので、広告表示が施されている垂下シート１５０の表面１５２は、その後ろの列の椅子Ｃに着座した参加者の目前に位置することになる。したがって、通路等に設置するスタンド式の広告具等に比べ、宣伝広告機能が向上することになる。
【００２６】
なお、椅子Ｃを会場から撤収する場合には（別の会場で垂下シート１５０を取り替えてこの椅子Ｃを使用する場合には）、垂下シート１５０を背凭れカバー１１０から取り外して、背凭れカバー１１０は椅子Ｃの背凭れＣ２に取り付けた状態で（または背凭れカバー１１０も椅子Ｃの背凭れＣ２から取り外した状態で）、椅子Ｃの後脚Ｃ４を閉じて前脚Ｃ３に後脚Ｃ４を添わせて椅子Ｃを折り畳んで収納して別の場所へ運搬する。そして、別の場所において、上述した手順により椅子Ｃを並べて垂下シート１５０を取り付けて、新たな会場を設営する。
【００２７】
以上のようにして、本実施の形態に係る広告具１００によると、垂下シート１５０を交換するだけで来場者に合致させた宣伝広告を表示させることができるとともに、広告表示領域２００を備えた垂下シート１５０を容易に交換できるので、汎用性が高く低コストで、さらに手間が少なく、椅子用の広告具を提供することができる。
＜変形例＞
以下、図５に対応する図７を参照して、本実施の形態の変形例に係る広告具３００について説明する。なお、適用対象となる椅子Ｃは上述した実施の形態と同じである。なお、上述した実施の形態と同じ構成については同じ参照符号を付しており、それらについての詳細な説明はここでは繰り返さない。
【００２８】
図７（Ｂ）に示すように、この広告具３００は、背凭れＣ２に取り付ける背凭れ取り付け部３１０（上述した実施の形態における背凭れカバー１１０に対応）と、背凭れＣ２上縁から座板Ｃ１上面までの長さ以上椅子Ｃの全高以下の長さを備え、文字、図形、記号も
しくはこれらの結合またはこれらと色彩との結合から構成される広告表示が表面３５２の広告表示領域２００に施された垂下シート３５０（上述した実施の形態における垂下シート１５０に対応）とを含んで構成されている。そして、特徴的であるのは、背凭れ取り付け部３１０の座面側の反対側および垂下シート３５０の裏面の上方には、垂下シート３５０を背凭れ取り付け部３１０に着脱自在に取り付けるための治具（ここではオス型（またはメス型）の面ファスナー３２２およびメス型（またはオス型）の面ファスナー３６２）をそれぞれ備える点である。なお、垂下シート３５０と垂下シート１５０との相違点は、垂下シート３５０が垂下シート１５０の面ファスナー１６２と形状および貼付位置が異なる面ファスナー３６２を備える点のみである。
【００２９】
背凭れ取り付け部３１０は、少なくとも２個の輪状の巻き付け輪部３１２と（ここでは巻き付け輪部３１２は２個であるとする）、これらの巻き付け輪部３１２どうしを連結して接合する接合部３１４とを含んで構成される。たとえば、接合部３１４は椅子Ｃの前方側と後方側の２ヶ所で巻き付け輪部３１２どうしを接合する。そして、この巻き付け輪部３１２に縦長形状の面ファスナー３２２が貼付されている。なお、上述した実施の形態に係る広告具１００と同様に、面ファスナー３６２の形状および貼付位置は、面ファスナー３２２に対応する形状および貼付位置であって、たとえば、同じ形状であって、面ファスナー３２２と面ファスナー３６２とで垂下シート３５０を背凭れ取り付け部３１０に取り付けた場合に背凭れ取り付け部３１０の上縁（ここでは椅子Ｃの上縁と等しくなる）と垂下シート３５０の上縁とが一致する位置である。
【００３０】
この広告具３００の背凭れ取り付け部３１０を構成する巻き付け輪部３１２は、たとえば一対の面ファスナー３１６等の治具により、平面形状と立体形状（輪形状）とを切り換えることができる。すなわち、面ファスナー３１６を開放して椅子Ｃの背凭れＣ２に背凭れ取り付け部３１０を取り付けて、面ファスナー３１６により巻き付け輪部３１２を輪状に形成して、椅子Ｃの背凭れＣ２に背凭れ取り付け部３１０を取り付ける。これにより、椅子Ｃの背凭れＣ２と背凭れ取り付け部３１０とを一体化することができる。
【００３１】
さらに好ましくは、この巻き付け輪部３１２を伸縮力を備えた素材（広幅のゴム紐等）で構成することも、椅子Ｃの背凭れＣ２から背凭れ取り付け部３１０がずれることを回避できる点で好ましい。ここで、背凭れ取り付け部３１０単体であっても椅子Ｃの背凭れＣ２から背凭れ取り付け部３１０がずれることを回避できる等であれば、背凭れ取り付け部３１０どうしを連結する接合部３１４を不要とすることも可能である。
【００３２】
このような構造を備えた広告具３００は、図７に示す手順で椅子Ｃに取り付けられる。まず、図７（Ａ）に示すように前脚Ｃ３と後脚Ｃ４とが開かれて自立させた椅子Ｃの背凭れＣ２に、背凭れ取り付け部３１０の巻き付け輪部３１２が背凭れＣ２を覆うように被せる。このとき、椅子Ｃの背凭れＣ２の上方から巻き付け輪部３１２の面ファスナー３１６を開放して、さらに伸縮力を巻き付け輪部３１２が備える場合には巻き付け輪部３１２を引っ張り伸ばして被せて、その後、巻き付け輪部３１２の面ファスナー３１６を接合させる（図５（Ｂ）参照）。なお、この図５（Ｂ）に示す状態（椅子Ｃの背凭れＣ２に背凭れカバー１１０を被せた状態）で、前脚Ｃ３と後脚Ｃ４とを閉じて椅子Ｃを収納するようにする点も上述した実施の形態と同じである。
【００３３】
そして、図７（Ｂ）に示すように、その椅子Ｃが並べられる講習会や説明会等に集まる人やその季節に対応させた宣伝広告がその表面３５２に施された垂下シート３５０を、面ファスナー３６２が面ファスナー３２２と対向するように準備する。次いで、図７（Ｃ）に示すように、面ファスナー３６２を面ファスナー３２２へ接合させて、垂下シート３５０を背凭れ取り付け部３１０に取り付ける。
【００３４】
以上のようにして、本変形例に係る広告具３００によっても、上述した実施の形態に係る広告具１００と同様の作用効果を発現することができる。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【００３５】
たとえば、垂下シート１５０（および垂下シート３５０において）、表面１５２および裏面１５４の両面に広告表示領域２００を設けて異なる広告表示を施すとともに、両面に面ファスナー１６２を貼付しておいて、垂下シート１５０を両面使いにするようにしても構わない。
【産業上の利用可能性】
【００３６】
本考案は、床面等に自立させるための支持体および壁面等に固定するための金具等の特別な付属品が不要な広告具に好適であり、椅子の背面に取り付ける広告具であって、広告表示内容を容易に交換可能な広告具に特に好適である。
【符号の説明】
【００３７】
１００、３００    広告表示内容が交換可能な椅子用の広告具（広告具）
１１０    背凭れカバー（背凭れ部）
３１０    背凭れ取り付け部（背凭れ部）
１５０、３５０    垂下シート
２００    広告表示領域
【図１】
0003218931.tif 000003
【図２】
0003218931.tif 000004
【図３】
0003218931.tif 000005
【図４】
0003218931.tif 000006
【図５】
0003218931.tif 000007
【図６】
0003218931.tif 000008
【図７】
0003218931.tif 000009